【事件の表示】
　特許第２９３００５９号「電気掃除機」の請求項１ないし請求項８に係る特許に対する特許異議の申立てについて、次のとおり決定する。
【結　論】
　訂正を認める。
　特許第２９３００５９号の請求項１ないし請求項６に係る特許を維持する。
【理　由】
〔1〕手続きの経緯
　本件特許第2930059号は、平成1年1月9日に出願した特願平1-2431号の一部を平成9年7月28日に新たな特許出願としたものであって、平成11年5月21日に特許権の設定登録がされ、その後、三洋電機株式会社により特許異議の申立てがされた。そして、当審において取消理由が通知され、その指定期間内である平成12年7月4日に訂正請求がされた。
〔2〕訂正の適否についての判断
１．訂正の内容
1−1　特許請求の範囲の記載を以下のとおり訂正する。
a）訂正前の請求項１を訂正前の請求項２の構成まで限定し、
「請求項１
　電動送風機、電気制御機器、集塵装置などを有する掃除機本体と、この掃除機本体の吸気口に差込まれ、上記電気制御機器に電気的に接続されるリモートコントロール用端子を設けた差込パイプを一端に、床ノズルに連通した延長パイプが接続され、リモートコントロール用操作体を一部に配設した操作パイプを他端にそれぞれ有し、かつ上記リモートコントロール用の端子と操作体を電気的に接続する導電線を巻装したホースとを具備し、上記差込パイプおよび操作パイプの少なくとも一方にホース端部に設けた回転パイプを回転自在に挿入嵌合するとともに、前記回転パイプの挿入部分には導電材よりなる複数のリング状レールを、前記差込パイプおよび操作パイプの少なくとも一方には同レールに対応し、その周面と接触する接片をそれぞれ取着して同レール、接片をリモートコントロール系路の一部に含ませ、前記レール内周面と回転パイプの外周面との間にレールと導電線とを電気的に接続する手段を収容する収容部を形成するレール台を有し、外周にレールを設けた環状のレール台を回転パイプに廻り止めして外嵌合し、一方、差込パイプ、および、または操作パイプには接片を取付けた電気掃除機。」と訂正する。
b）訂正前の請求項３を訂正前の請求項５の構成まで限定し、
「請求項２
　電動送風機、電気制御機器、集塵装置などを有する掃除機本体と、この掃除機本体の吸気口に差込まれ、上記電気制御機器に電気的に接続されるリモートコントロール用端子、および、給電端子を設けた差込パイプを一端に、アジテータとその駆動用電動機を内蔵した床ノズルに連通され、上記電動機への給電線を装備した延長パイプが接続され、リモートコントロール用操作体を一部に配設した操作パイプを他端にそれぞれ有し、かつ上記リモートコントロール用の端子と操作体を電気的に接続する導電線および上記給電端子から延長パイプの給電線へ給電を行う導電線を巻装したホースとを具備し、上記差込パイプおよび操作パイプの少なくとも一方にホース端部に設けた回転パイプを回転自在に挿入嵌合するとともに、前記回転パイプの挿入部分には導電材よりなる複数のリング状レールを、前記差込パイプおよび操作パイプの少なくとも一方には同レールに対応し、その周面と接触する接片をそれぞれ取着して同レール、接片をリモートコントロール系路の一部に含ませ、前記レール内周面と回転パイプの外周面との間にレールと導電線とを電気的に接続する手段を収容する収容部を形成するレール台を有し、外周にレールを設けた環状のレール台を回転パイプに廻り止めして外嵌合し、一方、差込パイプ、および、または操作パイプには接片を取付けた電気掃除機。」と訂正する。
c）上記訂正a）、b）に伴い、訂正前の請求項４を
「請求項３
各接片を略山形状としてその両片がリング状レールの周方向２箇所と接触するようにした請求項１または２記載の電気掃除機。」と訂正する。
d）上記訂正b）に伴い、訂正前の請求項６を
「請求項４
リモートコントロール用のレールの外側に給電用のレールを配した請求項２記載の電気掃除機。」と訂正する。
e）上記訂正a）、b）に伴い、訂正前の請求項７を
「請求項５
レール台は両端より軸方向の切込みを有し、一方、レールは帯状の導電材をリング状とするとともに、両端を接合して中心方向に折曲し、同折曲部分を上記切込みに挿入してレール台外周にレールを取着した請求項１または２記載の電気掃除機。」と訂正する。
f）上記訂正e）に伴い、訂正前の請求項８を
「請求項６
各切込みの位置をそれぞれ円周方向にずらした請求項５記載の電気掃除機。」と訂正する。
1−2　上記特許請求の範囲の記載の訂正に伴い、発明の詳細な説明を以下のとおり訂正する。
g）特許明細書の段落【0005】、【0007】、【0010】の「レール台を有する」を「レール台を有し、外周にレールを設けた環状のレール台を回転パイプに廻り止めして外嵌合し、一方、差込パイプ、および、または操作パイプには接片を取付けた」と訂正する。
h）特許明細書の段落【0009】および【0012】を削除する。
i）特許明細書の段落【0010】の「本発明の請求項３記載の発明」を「本発明の請求項２記載の発明」と訂正する。
j）特許明細書の段落【0013】の「本発明の請求項５記載の発明は、請求項１または３記載の発明」を「本発明の請求項３記載の発明は、請求項１または２記載の発明」と訂正する。
k）特許明細書の段落【0014】の「本発明の請求項６記載の発明は、請求項３記載の発明」を「本発明の請求項４記載の発明は、請求項２記載の発明」と訂正する。
l）特許明細書の段落【0015】の「本発明の請求項７記載の発明は、請求項２または５記載の発明」を「本発明の請求項５記載の発明は、請求項１または２記載の発明」と訂正する。
m）特許明細書の段落【0016】の「本発明の請求項８記載の発明は、請求項７記載の発明」を「本発明の請求項６記載の発明は、請求項５記載の発明」と訂正する。
n）段落【0009】および【0012】の削除に伴い、段落【0010】以降の段落番号を繰り上げる。
２．訂正の目的の適否、新規事項の有無及び拡張・変更の存否
　訂正事項a）、b）は、「レール台」、「差込パイプ」、「操作パイプ」を限定するものであるから、特許請求の範囲の減縮に相当する。
　訂正事項c）〜f）は、上記訂正a）、b）の訂正と整合させるための訂正であるから、不明りょうな記載の釈明に相当する。
　訂正事項g）〜n）は、上記特許請求の範囲の訂正事項a）〜f）と整合させるための訂正であるから、不明りょうな記載の釈明に相当する。
　そして、上記訂正事項a）ないしn）は新規事項の追加に該当せず、実質的に特許請求の範囲を拡張又は変更するものではない。
３．むすび
  以上のとおりであるから、上記訂正は、特許法第１２０条の４第２項及び同条第３項で準用する第１２６条第２、３項の規定に適合するので、当該訂正を認める。
〔3〕特許異議の申立についての判断
１．本件発明について
　本件訂正後の請求項１ないし請求項６に係る発明は、その訂正明細書の請求項１ないし請求項６に記載された事項により特定されるとおりのものである。（〔2〕１．1−1a）乃至f）参照。）
２．申立の理由の概要
　特許異議申立人三洋電機株式会社は、「本件特許発明は、その出願前公知の甲第１号証、甲第２号証、甲第３号証及び甲第４号証に基づいて、当業者が容易に発明できたものであるから、特許法第２９条第２項の規定により特許を受けることができないものである。したがって、特許法第１１３条第１項第２号に該当し、取り消されるべきものである。」旨、主張し、以下の証拠方法を提出している。
　甲第１号証：実公昭55-36219号公報
　甲第２号証：実公昭39-34294号公報
　甲第３号証：特開昭62-114522号公報
　甲第４号証：特開昭61-209626号公報
３．甲号各証記載の発明
　甲第１号証には、電気掃除機のホースコネクタに関し、以下の事項が記載されている。
a）「吸塵ホース側にリモートスイッチを設けた電気掃除機のホースコネクタにあつては、掃除機本体の吸塵口に装着するケースに吸塵ホースを連結するホース連結管を回転自在に嵌合し、上記ホース連結管の外周には吸塵ホース側のリモートスイッチに接続する導電材製リングを取着し、上記ケースに掃除機側の外部端子に電気的に接続する端子板および上記リングに摺接する接触片を設け、この接触片と端子板とをケース内部で電気的に接続するようにしている。」（第1頁右欄第5〜14行）
b）「図中1は掃除機本体の吸塵口に装着する略円筒状のケースである。このケース1の内部には、吸塵ホースを連結するＬ形のホース連結用曲管2を回転自在に嵌合している。上記ケース1の一側部には掃除機本体の吸塵口部に設けられた外部端子に電気的に接続する端子板3、4を装着するプラグ部5を形成している。・・・また第５図はケース1を一部切欠して示すものであるが、この図で示すように上記プラグ部5内には前記ホース連結用曲管2を露出する透孔7・・・を穿設するとともに、中央には上下方向へ延在する柱状突起18を突設し、上記透孔7・・・を通して板ばね状の接触片8、9の各両端を連結管2側に挿通させている。上記接触片8、9は、その中央を柱状突起18にて前記各端子板3、4の一端と重合し、その重合部を柱状突起18に設けたねじ孔19にねじ10、10で取付けられている。・・・一方、前記ホース連結用曲管2の前記ケース1内への嵌合部外周に導電材製リング13、14を取着し、その各リング13、14に前記接触片8、9の各両端を弾性的に摺接させている。上記各リング13、14はそれぞれリード線15、16を介して図示しない吸塵ホース側のリモートスイッチに接続されている。なお、上記リード線15、16は、第４図に示すように曲管2の外周に軸方向に長く形成されたリード線導出溝20内を通してプラグ部5外へ導出される。」（第2頁左欄第13行〜右欄第6行）
　甲第２号証には、リモートスイツチ付電気掃除機に関し、以下の事項が記載されている。
a）「1は掃除機本体、2はホース、3は吸込口、6はリモートスイッチ、5は前蓋、11は外周にスリット10を穿設し、こ丶に輪バネ14を設置させたホース接続パイプで、これを前蓋5に挿入すると、前蓋5の内周に穿設されたスリット13に輪バネ14が係合し、前蓋5に回転自在に嵌合される。12はホース接続パイプ11に取り付けられた抜け止めリング、6、7はホース接続パイプ11の外面に隣接して埋設された環状のスリップリングで各々板バネ21、22を介して電動機回路のリード線8、9に接続される。15はホース2に装着されたホース接手で、外周にリベット16、板バネ17、18を有している。19、20は一端をホース2に埋設されたリモートスイッチ4に接続されるリード線である。」（第1頁左欄下第12行〜右欄第3行）
b）「ホース接手15をホース接続パイプ11に挿入すると板バネ17、18の接触子部はスリップリング6、7に接して、リモートスイッチと電動機回路を接続する。また抜け止めリング12を回転し、リベット16をロックさせるとホース2は掃除機本体1に確実に接続される。さらにホース2はホース接続パイプ11と一体になって、前蓋5の間を輪バネ14を案内にして、回転自在になる。」（第1頁右欄第13〜20行）
　甲第３号証には、電気掃除機に関して以下の事項が記載されている。
a）「上記実施例では、掃除機本体1の接続口部32を回動自在とすることによって、ホース61を回動自在とした構造について説明したが、ホース61の接続管部63を、固定された接続口部32に嵌合接続される接続管と、この接続管に回動自在に連結された回動管とにより構成することによって、ホース61を回動自在としてもよい。この構造においては、リモートコントロール用配線72および電源配線74の摺動端子45a、45b、48a、48bは回動管に設け、それらにそれぞれ接続される固定端子部24a、24b、26a、26bは接続管に設ける。」（第6頁右上欄第17行〜左下欄第7行）
　甲第４号証には、電気掃除機に関して以下の事項が記載されている。
a）「またホース取付口9はホース口パッキン10を中間に挟む形で、ホース押え11とネジ15により一体に構成されているのでホース7取付口9の回転と同一に回転するようになっている。」（第2頁左下欄第9〜13行）
b）「上記スリツプリング19、20は、金属の薄板状の導電材料からなり、ホース口押え11の外周に巻き付けられるとともにホース口押え11外周の一部の切欠部23a、23bより内側に折り曲げられ固定され、この折り曲げ部24にはホース側へ通電するリード線25とこれらの先端に設けられた接片26がある。しかも切欠部23aと切欠部23bとは回動中心に対して点対象にならない配置としている。」（第2頁右下欄第3〜11行）
４．対比・判断
　本件訂正後の請求項１ないし請求項６に係る発明を、以下、「請求項１ないし請求項６に係る発明」という。
　まず、請求項１に係る発明と、甲第１号証ないし甲第４号証に記載された発明とを対比する。
　甲第１号証ないし甲第４号証には、請求項１に係る発明を特定する事項である「レール内周面と回転パイプの外周面との間にレールと導電線とを電気的に接続する手段を収容する収容部を形成するレール台」および「外周にレールを設けた環状のレール台を回転パイプに廻り止めして外嵌合し」た構成は記載も示唆もされていない。
　以下、詳述する。
　甲第１号証には、掃除機本体の吸塵口に装着する差込パイプ（略円筒状のケース1）の内部に吸塵ホースを連結する回転パイプ（Ｌ形のホース連結用曲管2）を回転自在に嵌合し、回転パイプの差込パイプ内への嵌合部外周にリング状レール（導電性リング13、14）を取着した点、また、導電線（リード線15、16）がリング状レールと回転パイプに設けられた溝20との間に設けられている点が記載されているが、リング状レール内周面と回転パイプの外周面との間には、何も介在するものがなく、請求項１に係る発明のレール内周面と回転パイプの外周面との間に設けられた「レール台」に相当するものは、記載されていないものと認める。
　甲第２号証には、前蓋5に回転自在に嵌合されるホース接続パイプ11の外面に環状のスリップリング6、7を隣接して埋設し、回転パイプ（ホース接手15）は外周にリベット16、板バネ17、18を設け、回転パイプをホース接続パイプ11に挿入させロックさせることにより、ホース2はホース接続パイプ11と一体になって、前蓋5の間を輪バネ14を案内にして、回転自在となることが記載されているが、環状のスリップリングと6、7と板ばね17、18とを電気的に接続する手段はホース接続パイプ11と回転パイプとの間ではなく、ホース接続パイプ11を切り欠いた部分と回転パイプの外周面に設けた溝部分に設けらているから、ホース接続パイプ11は請求項１に係る発明の「レール台」には相当しない。
　甲第３号証には、摺動端子を設けた第２の接続口部材36を第１の接続口部材33に廻り止めして外嵌合し、一方、蓋体に固定端子部を取り付けた構成が開示されているが、請求項１に係る発明の「回転パイプ」に相当するものは、「ホース61」であるから、請求項１に係る発明の「レール台」は記載されていない。
　甲第４号証に記載されたホース口押え11は、本体側のホース取付口9に取り付けられており、このホース取付口9は、請求項１に係る発明の回転パイプには相当しない。
　したがって、甲第４号証には、請求項１に係る発明のレール内周面と回転パイプの外周面との間に設けた「レール台」は記載されていない。
　請求項１に係る発明は、上記構成を採用することにより、「長期にわたり電気接続を良好とする。また、リモートコントロールの単機能への転用が容易であり、レール取着そのものもしやすい。」なる格別の効果を奏するものと認める。
　したがって、該構成を具備しない甲第１号証ないし甲第４号証に記載された発明を組み合わせても請求項１に係る発明には至らないものと認める。
　また、請求項２に係る発明は、請求項１に係る発明をさらに限定するものであるから、請求項１に係る発明と同様に、甲第１号証ないし甲第４号証に記載された発明を組み合わせても請求項２に係る発明には至らないものと認める。
　さらに、請求項３ないし請求項６に係る発明は、請求項１または請求項２に係る発明をさらに限定するものであるから、甲第１号証ないし甲第４号証に記載された発明を組み合わせても請求項３ないし６に係る発明には至らないものと認める。
５．むすび
　以上のとおりであるから、請求項１ないし請求項６に係る発明は、甲第１号証ないし甲第４号証に記載された発明に基づいて当業者が容易に発明をすることができたものとすることはできない。
　また、他に請求項１ないし請求項６に係る発明の特許を取り消すべき理由を発見しない。
　よって、結論のとおり決定する。
【異議決定日】
平成１２年８月１５日（２０００．８．１５）
【訂正の要旨】
　訂正の要旨
１−１　特許請求の範囲の記載を以下のとおり訂正する。
ａ）訂正前の請求項１を訂正前の請求項２の構成まで限定し、
「請求項１
　電動送風機、電気制御機器、集塵装置などを有する掃除機本体と、この掃除機本体の吸気口に差込まれ、上記電気制御機器に電気的に接続されるリモートコントロール用端子を設けた差込パイプを一端に、床ノズルに連通した延長パイプが接続され、リモートコントロール用操作体を一部に配設した操作パイプを他端にそれぞれ有し、かつ上記リモートコントロール用の端子と操作体を電気的に接続する導電線を巻装したホースとを具備し、上記差込パイプおよび操作パイプの少なくとも一方にホース端部に設けた回転パイプを回転自在に挿入嵌合するとともに、前記回転パイプの挿入部分には導電材よりなる複数のリング状レールを、前記差込パイプおよび操作パイプの少なくとも一方には同レールに対応し、その周面と接触する接片をそれぞれ取着して同レール、接片をリモートコントロール系路の一部に含ませ、前記レール内周面と回転パイプの外周面との間にレールと導電線とを電気的に接続する手段を収容する収容部を形成するレール台を有し、外周にレールを設けた環状のレール台を回転パイプに廻り止めして外嵌合し、一方、差込パイプ、および、または操作パイプには接片を取付けた電気掃除機。」と訂正する。
ｂ）訂正前の請求項３を訂正前の請求項５の構成まで限定し、
「請求項２
　電動送風機、電気制御機器、集塵装置などを有する掃除機本体と、この掃除機本体の吸気口に差込まれ、上記電気制御機器に電気的に接続されるリモートコントロール用端子、および、給電端子を設けた差込パイプを一端に、アジテータとその駆動用電動機を内蔵した床ノズルに連通され、上記電動機への給電線を装備した延長パイプが接続され、リモートコントロール用操作体を一部に配設した操作パイプを他端にそれぞれ有し、かつ上記リモートコントロール用の端子と操作体を電気的に接続する導電線および上記給電端子から延長パイプの給電線へ給電を行う導電線を巻装したホースとを具備し、上記差込パイプおよび操作パイプの少なくとも一方にホース端部に設けた回転パイプを回転自在に挿入嵌合するとともに、前記回転パイプの挿入部分には導電材よりなる複数のリング状レールを、前記差込パイプおよび操作パイプの少なくとも一方には同レールに対応し、その周面と接触する接片をそれぞれ取着して同レール、接片をリモートコントロール系路の一部に含ませ、前記レール内周面と回転パイプの外周面との間にレールと導電線とを電気的に接続する手段を収容する収容部を形成するレール台を有し、外周にレールを設けた環状のレール台を回転パイプに廻り止めして外嵌合し、一方、差込パイプ、および、または操作パイプには接片を取付けた電気掃除機。」と訂正する。
ｃ）上記訂正ａ）、ｂ）に伴い、訂正前の請求項４を
「請求項３
各接片を略山形状としてその両片がリング状レールの周方向２箇所と接触するようにした請求項１または２記載の電気掃除機。」と訂正する。
ｄ）上記訂正ｂ）に伴い、訂正前の請求項６を
「請求項４
リモートコントロール用のレールの外側に給電用のレールを配した請求項２記載の電気掃除機。」と訂正する。
ｅ）上記訂正ａ）、ｂ）に伴い、訂正前の請求項７を
「請求項５
レール台は両端より軸方向の切込みを有し、一方、レールは帯状の導電材をリング状とするとともに、両端を接合して中心方向に折曲し、同折曲部分を上記切込みに挿入してレール台外周にレールを取着した請求項１または２記載の電気掃除機。」と訂正する。
ｆ）上記訂正ｅ）に伴い、訂正前の請求項８を
「請求項６
各切込みの位置をそれぞれ円周方向にずらした請求項５記載の電気掃除機。」と訂正する。
１−２　上記特許請求の範囲の記載の訂正に伴い、発明の詳細な説明を以下のとおり訂正する。
ｇ）特許明細書の段落【０００５】、【０００７】、【００１０】の「レール台を有する」を「レール台を有し、外周にレールを設けた環状のレール台を回転パイプに廻り止めして外嵌合し、一方、差込パイプ、および、または操作パイプには接片を取付けた」と訂正する。
ｈ）特許明細書の段落【０００９】および【００１２】を削除する。
ｉ）特許明細書の段落【００１０】の「本発明の請求項３記載の発明」を「本発明の請求項２記載の発明」と訂正する。
ｊ）特許明細書の段落【００１３】の「本発明の請求項５記載の発明は、請求項１または３記載の発明」を「本発明の請求項３記載の発明は、請求項１または２記載の発明」と訂正する。
ｋ）特許明細書の段落【００１４】の「本発明の請求項６記載の発明は、請求項３記載の発明」を「本発明の請求項４記載の発明は、請求項２記載の発明」と訂正する。
ｌ）特許明細書の段落【００１５】の「本発明の請求項７記載の発明は、請求項２または５記載の発明」を「本発明の請求項５記載の発明は、請求項１または２記載の発明」と訂正する。
ｍ）特許明細書の段落【００１６】の「本発明の請求項８記載の発明は、請求項７記載の発明」を「本発明の請求項６記載の発明は、請求項５記載の発明」と訂正する。
ｎ）段落【０００９】および【００１２】の削除に伴い、段落【００１０】以降の段落番号を繰り上げる。
（５４）【発明の名称】
電気掃除機
（５７）【特許請求の範囲】
　【請求項１】電動送風機、電気制御機器、集塵装置などを有する掃除機本体と、この掃除機本体の吸気口に差込まれ、上記電気制御機器に電気的に接続されるリモートコントロール用端子を設けた差込パイプを一端に、床ノズルに連通した延長パイプが接続され、リモートコントロール用操作体を一部に配設した操作パイプを他端にそれぞれ有し、かつ上記リモートコントロール用の端子と操作体を電気的に接続する導電線を巻装したホースとを具備し、上記差込パイプおよび操作パイプの少なくとも一方にホース端部に設けた回転パイプを回転自在に挿入嵌合するとともに、前記回転パイプの挿入部分には導電材よりなる複数のリング状レールを、前記差込パイプおよび操作パイプの少なくとも一方には同レールに対応し、その周面と接触する接片をそれぞれ取着して同レール、接片をリモートコントロール系路の一部に含ませ、前記レール内周面と回転パイプの外周面との間にレールと導電線とを電気的に接続する手段を収容する収容部を形成するレール台を有
し、外周にレールを設けた環状のレール台を回転パイプに廻り止めして外嵌合し、一方、差込パイプ、および、または操作パイプには接片を取付けた
　【請求項２】電動送風機、電気制御機器、集塵装置などを有する掃除機本体と、この掃除機本体の吸気口に差込まれ、上記電気制御機器に電気的に接続されるリモートコントロール用端子、および、給電端子を設けた差込パイプを一端に、アジテータとその駆動用電動機を内蔵した床ノズルに連通され、上記電動機への給電線を装備した延長パイプが接続され、リモートコントロール用操作体を一部に配設した操作パイプを他端にそれぞれ有し、かつ上記リモートコントロール用の端子と操作体を電気的に接続する導電線および上記給電端子から延長パイプの給電線へ給電を行う導電線を巻装したホースとを具備し、上記差込パイプおよび操作パイプの少なくとも一方にホース端部に設けた回転パイプを回転自在に挿入嵌合するとともに、前記回転パイプの挿入部分には導電材よりなる複数のリング状レールを、前記差込パイプおよび操作パイプの少なくとも一方には同レールに対応し、その周面と接触する接片をそれぞれ取着して同レール、接片をリモートコントロール系路の一部に含ませ、前記レール内周面と回転パイプの外周面との間にレールと導電線とを電気的に接続する手段を収容する収容部を形成するレール台を有
し、外周にレールを設けた環状のレール台を回転パイプに廻り止めして外嵌合し、一方、差込パイプ、および、または操作パイプには接片を取付けた
　【請求項３】各接片を略山形状としてその両片がリング状レールの周方向２箇所と接触するようにした請求項１または
２
　【請求項４】リモートコントロール用のレールの外側に給電用のレールを配した請求項
２
　【請求項５】レール台は両端より軸方向の切込みを有し、一方、レールは帯状の導電材をリング状とするとともに、両端を接合して中心方向に折曲し、回折曲部分を上記切込みに挿入してレール台外周にレールを取着した請求項
１または２
　【請求項６】各切込みの位置をそれぞれ円周方向にずらした請求項
５
【発明の詳細な説明】
　【０００１】
　【発明の属する技術分野】
　本発明はホースを介して掃除機本体を移動させるようにした、いわゆる床移動形の電気掃除機に関するものである。
　【０００２】
　【従来の技術】
　従来、この種電気掃除機にあっては、ホースの一端を掃除機本体の吸気口に差込んで固定するようになっていた。しかしこのものでは、ホースが捩られたときに無理な力が加わって破損などを生起するものであった。そこで、図９のように吸気口を掃除機本体１の上面側に形成して、ホース２の一端に接続した屈曲状の差込みパイプ３を回転自在に差込むものが提案された。
　【０００３】
　【発明が解決しようとする課題】
　しかし、上記図９の構成では、略差込みパイプ３を半径としてホース２がいわゆる公転動作しないと捩れがとれない。そのため、作業者がホース２を意識的に公転しない限り、捩れ具合が相当進んだところではじめて公転が行われ、しかもこの公転は捩れを充分にとるものではないから、やはり、ホース２が破損などを生起しやすかった。
　【０００４】
　本発明はこのような従来の課題を解決したもので、ホースの捩れを確実に防止した電気掃除機を提供することを目的とする。
　【０００５】
　【課題を解決するための手段】
　上記目的を達成するために本発明は、差込パイプおよび操作パイプの少なくとも一方にホース端部に設けた回転パイプを回転自在に挿入嵌合するとともに、前記回転パイプの挿入部分には導電材よりなる複数のリング状レールを、前記差込パイプおよび操作パイプの少なくとも一方には同レールに対応し、その周面と接触する接片をそれぞれ取着して同レール、接片をリモートコントロール系路の一部に含ませ、前記レール内周面と回転パイプの外周面との間にレールと導電線とを電気的に接続する手段を収容する収容部を形成するレール台を有
し、外周にレールを設けた環状のレール台を回転パイプに廻り止めして外嵌合し、一方、差込パイプ、および、または操作パイプには接片を取付けた
　【０００６】
　また、上記レール、接片をリモートコントロール系路および電動機への給電系路の一部に含ませるようにすれば、リモートコントロール信号のほかに床ノズルのアジテータ駆動用の電動機への給電を併せて行われるようになる。
　【０００７】
　【発明の実施の形態】
　本発明の請求項１記載の発明は、電動送風機、電気制御機器、集塵装置などを有する掃除機本体と、この掃除機本体の吸気口に差込まれ、上記電気制御機器に電気的に接続されるリモートコントロール用端子を設けた差込パイプを一端に、床ノズルに連通した延長パイプが接続され、リモートコントロール用操作体を一部に配設した操作パイプを他端にそれぞれ有し、かつ上記リモートコントロール用の端子と操作体を電気的に接続する導電線を巻装したホースとを具備し、上記差込パイプおよび操作パイプの少なくとも一方にホース端部に設けた回転パイプを回転自在に挿入嵌合するとともに、前記回転パイプの挿入部分には導電材よりなる複数のリング状レールを、前記差込パイプおよび操作パイプの少なくとも一方には同レールに対応し、その周面と接触する接片をそれぞれ取着して同レール、接片をリモートコントロール系路の一部に含ませ、前記レール内周面と回転パイプの外周面との間にレールと導電線とを電気的に接続する手段を収容する収容部を形成するレール台を有
し、外周にレールを設けた環状のレール台を回転パイプに廻り止めして外嵌合し、一方、差込パイプ、および、または操作パイプには接片を取付けた
　【０００８】
　この構成によると、ホースに捩れがあると差込パイプ、および、または操作パイプが自転して捩れが戻される。しかも、レールおよび接片を介してリモートコントロール信号が掃除機本体に伝達されるものである。さらに、導電線とレールとを電気的に接続する手段を塵埃の影響の少ないレールと回転パイプとの間に配することができる。
　【０００９】
　本発明の請求項
２
し、外周にレールを設けた環状のレール台を回転パイプに廻り止めして外嵌合し、一方、差込パイプ、および、または操作パイプには接片を取付けた
　【００１０】
　この構成によると、ホースに捩れがあると差込パイプが自転して捩れが戻される。しかも、リモートコントロール信号のほかに床ノズルのアジテータ駆動用の電動機への給電を併せて行われるようになる。さらに、導電線とレールとを電気的に接続する手段を塵埃の影響の少ないレールと回転パイプとの間に配することができる。
　【００１１】
　本発明の請求項
３
２
　【００１２】
　本発明の請求項
４
２
　【００１３】
　本発明の請求項
５
１または２
　【００１４】
　本発明の請求項
６
５
　【００１５】
　【実施例】
　以下その実施例を図１〜図８を参照して説明する。
　【００１６】
　図において、電動送風機１１、電気制御器１２および集塵装置などを有する掃除機本体１３は、その前面に吸気口１４を形成している。一方、ホース１５は、その一端に上記吸気口１４に嵌合され、かつ尾錠１６を介して固定される差込パイプ１７が、他端に鈍角状に曲げられた操作パイプ１８が各々接続されている。１９は操作パイプ１８に接続した延長パイプで、先端にはアジテータ２０およびその駆動用電動機２１を内蔵した床ノズル２２が設けてある。上記操作パイプ１８には電動送風機１１をリモートコントロールするための操作体２３と、床ノズル２２の電動機２１を運転制御するための操作体２４が配設してあり、リモートコントロール用操作体２３からの信号はホース１５に埋設した導電線（後述する）を介して電気制御器１２に伝えられ、電動送風機１１の回転数などを制御する。またホース１５には別の給電用の導電線（後述する）も埋設されており、同導電線、操作体２４および延長パイプ１９に沿わせたコード２５を介して掃除機本体１３から床ノズル２２の電動機２１へ給電できるようにしてある。もちろん、操作体２４の操作によって電動機２１の発停制御を行うことが可能である。
　【００１７】
　次にホース１５と差込パイプ１７との接続構成について詳述する。ホース１５の端部には差込パイプ１７に回転自在に内嵌合する回転パイプ２６が固定されている。上記回転パイプ２６は先端部外周面に２条の環状凹溝２７，２８を有し、また長手方向略中央部分には段付外周部２９から複数のリード線係止溝３０を切込み形成したフランジ３１が設けてある。３２はフランジ３１と凹溝２８との間の回転パイプ２６の外周長手方向に形成した複数のリブで、このうちの一本は他より長く、フランジ３１側に上方への突出部３３を有する。一方、３４，３５は回転パイプ２６のフランジ３１より前方外周に嵌合する２個の環状レール台で、内周面長手方向に形成した溝部３６，３７を上記リブ３２に係合することによって廻り止めされている。また回転パイプ２６の周方向に対する位置合せを行うために、一方のレール台３５の後端縁には突出部３３と係合する凹部３８が、さらにこのレール台３５の前端縁と他方のレール台３４の後端縁には相係合する凹，凸部３９，４０がそれぞれ形成してある。
　【００１８】
　なお、突出部３３を有するリブ３２を他より長くした理由は、回転パイプ２６の周方向に対するレール台３４，３５の位置合せを容易とするためである。レール台３４，３５の外周面周方向には各２条の溝が形成されていて、それぞれにリング状のレール４１，４２，４３，４４が取着してある。またレール台３４，３５の各前，後端縁からは上記溝に至る切込み４５，４６が同方向に位相を変えて形成してある。
　【００１９】
　上記レール４１〜４４は導電材をリング状とともに、両端を接合して中心方向へ折曲したもので、一旦径を拡げて溝に嵌合し、折曲部分４７〜５０を切込み４５，４６に挿通して両側へ折り返すことでレール台３４，３５に取付けられる。切込み４５，４６は上記のように周方向に位相が異なっているため、レール４１〜４４の継ぎ目も軸方向同一線に並ぶことがない。このことから、回転パイプ２６の周方向に対してレール台３４，３５の位置合せを行う理由がここに存在することを理解することができるであろう。
　【００２０】
　レール台３４，３５の隣接するレール４２，４３はリモートコントロール用として、外側のレール４１，４４は電動機２１への給電用としてそれぞれ設定してある。したがって、レール４２，４３の折曲部分４８，４９に半田付けされたリード線４８ａ，４９ａはホース１５のリモートコントロール用導電線５１，５２に、一方、レール４１，４４の折曲部分４７，５０に半田付けされたリード線４７ａ、５０ａは同じく給電用導電線５３，５４にそれぞれ接続される。上記各リード線４７ａ，４８ａ，４９，５０ａは回転パイプ２６とレール台３４，３５との間の隙間を利用して配線され、途中がフランジ３１のリード線係止溝３０に係止保持されている。
　【００２１】
　５５はリード線４７ａ〜５０ａと導電線５１〜５４との接続部を覆うカバーを示す（第３，４図参照）。
　【００２２】
　次に、差込パイプ１７の外周面長手方向には細長状のボックス部５６が設けてある。このボックス部５６は差込パイプ１７の外周面上に形成した枠状のリブ５７と蓋５８とから構成されている。蓋５８は一端の爪５９を差込パイプ１７の引掛け部６０に引掛け、他方をビス６で締付けることで固定される。先の尾錠１６はボックス部５６の前方に可動的に取付けられており、施錠方向にスプリング６２を介して常に付勢されている。また蓋５８の裏面には４個の接片６３，６４，６５，６６が平行に取着してある。これら接片６３〜６６はバネ性を有する導電板を略山形状に形成したもので、その頂壁部に蓋５８より下方へ突設した突子６７を貫通して熱変形することによって固定されている。（第７図参照）。そして各接片６３〜６６の両遊端は差込パイプ１７におけるリブ５７で囲まれた部分に形成した１対の長孔６８を通って、先のレール４１〜４４に所定の角度をおいて同時接触するようにしてある。ここで、隣接する接片６４，６５はリモートコントロール用のもので、同リモートコントロール用のレール４２，４３と対応し、また前後の接片６３，６６は給電用であってレール４１，４４と対応する。
　【００２３】
　上記ボックス部５６の前方へは接片６４，６５にリード線で接続された１対のリモートコントロール用端子６９，７０が突出され、前部両側へは接片６３，６６にリード線で接続された１対の給電端子７１，７２が突出されている。
　【００２４】
　差込パイプ１７に回転パイプ２６が内嵌合された状態で、上記差込パイプ１７の段付後方開口部はフランジ３１の段付外周部２９とタイトリング７３を介してはまり合う。また回転パイプ２６の一方の凹溝２７にも差込パイプ１７の内周面と接するタイトリング７４が装着されている。タイトリング７３にはフランジ３１のリード線係止溝３０に挿入されてリード線４７ａ〜５０ａの離脱を防止するリブ７５が形成してある。
　【００２５】
　さらに回転パイプ２６の他方の凹溝２８には蓋５８より垂設され、差込パイプ１７の透孔７６を貫通した突片７７が嵌合しており、抜け止めを図っている（第６図参照）。
　【００２６】
　上記の構成において、掃除機本体１３の吸気口１４はボックス部５６をも嵌合できる非真円形状に設定してある。
　【００２７】
　したがって、上記吸気口１４に差込まれた差込パイプ１７は廻り止めされ、尾錠１６で固定化される。
　【００２８】
　今、ホース１５に捩れが生じた場合、その捩れ分だけ回転パイプ２６が差込パイプ１７内で回転し、同捩れを戻す。したがって、ホース１５に無理な力が加わるようなことがないとともに、捩れによって、いわゆる団子状となることもなく、それだけ使用性が向上する。
　【００２９】
　また上記実施例では差込パイプ１７と回転パイプ２６間に回転動作に対応した電気接続手段を付加しているため、同差込パイプ１７に対して回転パイプ２６が回転しても、電動送風機１１のリモートコントロールおよび床ノズル２２におけるアジテータ２０の駆動用電動機２１への給電には何んら支障がないものである。
　【００３０】
　具体的に述べると、操作パイプ１８に設けたりモートコントロール用の操作体２３からの信号は、ホース１５の導電線５１，５２→リード線４８ａ，４９ａ→レール４２，４３→接片６４，６５→リモートコントロール用端子６４，６５と伝達し、掃除機本体１３内の配線を介して電気制御器１２に流れる。この電気制御器１２はその時々の入力信号に応じて電動送風機１１の回転数を増減したり、あるいは、停止したりする。
　【００３１】
　一方、掃除機本体１３に印加された電源は給電端子７１，７２→接片６３，６６→レール４１，４４→リード線４７ａ，５０ａ→ホース１５の導電線５３，５４→操作パイプ１８の操作体２４と流れ、次いで、コード２５を介して床ノズル２２内の電動機２１へ供給される。
　【００３２】
　床ノズル２２内のアジテータ２０は被掃除面がじゅうたんなどの場合に回転され、たたみなどの被掃除面の場合は通常停止される。したがって、被掃除面に応じたアジテータ２０の発停制御は、操作体２４により電動機２１の給電をＯＮ−ＯＦＦすればよい。また必要とあれば、操作体２４で電動機２１への入力を可変し、アジテータ２０の回転数そのものを制御することもできる。
　【００３３】
　ここで、差込パイプ１７と回転パイプ２６との間に設けた電気接続手段の作用を述べる。
　【００３４】
　まず、各接片６３〜６６において、それらの形状を略山形状として、各両端部分でレール４１〜４４と接触させているため、電気的接続が確実となるのはもちろん、接片６３〜６６に偏荷重が加わらず、がたつきなどを発生しない。換言すれば、接片取付手段として簡単なものが採用できることとなる。また１対のレール４１，４２、および４３，４４をレール台３４，３５に取着しているため、リモートコントロールの単機能への転用が容易であり、レール取着そのものもしやすい。
　【００３５】
　しかも、凹，凸部３９，４０の係合によって２個のレール台３４，３５がユニット化されるため、回転パイプ２６への取付けが簡単にできる。
　【００３６】
　上記レール４１〜４４はその継ぎ目が各々位相を変えてレール台３４，３５に配設してあるため、接片６３〜６６が同時に上記継ぎ目と接触することがなく、その分、回転パイプ２６の回転が円滑化される。
　【００３７】
　さらに、比較的低電圧のリモートコントロール用の電気接続部、すなわち、レール４２，４３，接片６４，６５を内側に、比較的高電圧の給電用の電気接続部、すなわち、レール４１，４４，接片６３，６６を外側に配設した理由は、高電圧が加わる給電用の電気接続部で塵埃をはじき飛ばして、低電圧のリモートコントロール用電気接続部に塵埃が侵入しないようにしたところにある。したがって、これによって、リモートコントロール機能の性能向上が図られるものである。
　【００３８】
　また上記電気接続手段を付加するとしてもリモートコントロール用、あるいは、床ノズル２２内の電動機２１への給電用の一方だけとすることも考えられる。さらに回転部分は操作パイプ１８側に設けても、あるいは、両方に併設してもよい。
　【００３９】
　【発明の効果】
　以上のように本発明によれば、ホースの捩れが実質的になくなるため、その破損などをなくして寿命特性を向上できるとともに、使い勝手も著しくよくなる。
　【００４０】
　また、掃除機本体内の電動送風機のリモートコントロール、さらに床ノズル内に設けたアジテータ駆動用電動機への給電が確実にできるものである。また、導電線とレールとを電気的に接続する手段は回転パイプとレールとの間に位置しているので塵埃による悪影響を受けにくく、長期にわたり電気接続を良好とする。しかも電気接続手段は、レールの周面に接片を接触させたものであるから、回転部分の回転性能は良好に維持できる。さらに上記電気接続手段の組立，加工などもしやすく、接続そのものも確実に行われるなど、すぐれた効果を奏するものである。
【図面の簡単な説明】
　【図１】
　本発明の実施例を示す要部分解斜視図
　【図２】
　全体斜視図
　【図３】
　ホースの差込パイプ側の斜視図
　【図４】
　同一部欠截平面図
　【図５】
　回転パイプ部の平面図
　【図６】
　要部側断面図
　【図７】
　同正断面図
　【図８】
　蓋の裏面図
　【図９】
　従来例を示す側面図
　【符号の説明】
　１１　電動送風機
　１２　制御機器
　１３　掃除機本体
　１４　吸気口
　１５　ホース
　１７　差込パイプ
　１８　操作パイプ
　１９　延長パイプ
　２０　アジテータ
　２１　電動機
　２２　床ノズル
　２３　操作体（リモートコントロール用）
　２４　操作体（電動機の運転制御用）
　２６　回転パイプ
　３４，３５　レール台
　４１，４２，４３，４４　レール
　４５，４６　切込み
　４７，４８，４９，５０　折曲部分
　５１，５２　導電線（リモートコントロール用）
　５３，５４　導電線（給電用）
　６３，６４，６５，６６　接片
　６９，７０　リモートコントロール用端子
　７１，７２　給電端子